(57)【要約】【課題】  ２つ以上の表示部のうち１つの表示部に故障などの異常が生じた場合に、修理依頼或いは買い換えといった代替処置により携帯情報端末装置が再び使用可能となるまでの不便さを低減可能な携帯情報端末装置を提供する。【解決手段】  第１及び第２表示部８，９のうち第１表示部９の異常を検出する異常検出手段６を備える。異常検出手段６により異常を検出した異常時には、第１表示部９の正常時であれば第１表示部９にて表示される第１表示内容を第２表示部８にて表示させるように表示切替を行う表示切替制御手段６を備える。【選択図】    図３
2005136706.tif 000002
【特許請求の範囲】
【請求項１】
第１乃至第Ｎ表示部（Ｎは２以上の正の整数）を備える携帯情報端末装置において、
前記第１表示部の異常を検出する異常検出手段と、
前記異常検出手段により異常を検出した異常時には、前記第１表示部の正常時であれば該第１表示部にて表示される第１表示内容を他の少なくとも何れか１つの表示部にて表示させるように切替制御を行う表示切替制御手段と、
を備えることを特徴とする携帯情報端末装置。
【請求項２】
第１乃至第Ｎ表示部（Ｎは２以上の正の整数）を備える携帯情報端末装置において、
前記第１表示部の異常を検出する異常検出手段と、
前記第１表示部の正常時であれば該第１表示部にて表示される第１表示内容を他の少なくとも何れか１つの表示部にて表示させるように切替操作を行うための表示切替操作手段と、
前記異常検出手段により異常を検出した異常時に前記表示切替操作手段の切替操作がなされた場合に、前記第１表示内容を前記他の少なくとも何れか１つの表示部にて表示させるように切替制御を行う表示切替制御手段と、
を備えることを特徴とする携帯情報端末装置。
【請求項３】
前記異常検出手段は、表示不可能な状態を異常として検出することを特徴とする請求項１又は２に記載の携帯情報端末装置。
【請求項４】
前記異常検出手段は、ベリファイチェックにより前記第１表示部の異常検出を行うことを特徴とする請求項１乃至３のいずれか一項に記載の携帯情報端末装置。
【請求項５】
前記第１表示部は、表示動作を行う表示動作部と、該表示動作部の動作制御を行う動作制御部と、を備えて構成され、
前記異常検出手段は、前記動作制御部のメモリに設定した値の正否を判定することによりベリファイチェックを行うことを特徴とする請求項４に記載の携帯情報端末装置。
【請求項６】
前記異常検出手段は、前記第１表示部の電流値を監視することにより該第１表示部の異常検出を行うことを特徴とする請求項１乃至３のいずれか一項に記載の携帯情報端末装置。
【請求項７】
第１乃至第Ｎ表示部（Ｎは２以上の正の整数）を備える携帯情報端末装置において、
本来であれば前記第１表示部に表示される第１表示内容を他の少なくとも何れか１つの表示部にて表示させるように切替操作を行うための表示切替操作手段と、
前記表示切替操作手段の切替操作がなされた場合に、前記第１表示内容を前記他の少なくとも何れか１つの表示部にて表示させるように切替制御を行う表示切替制御手段と、
を備えることを特徴とする携帯情報端末装置。
【請求項８】
前記第１表示部は、他の表示部よりも表示領域が大きい主表示部であり、
他の表示部は副表示部であることを特徴とする請求項１乃至７のいずれか一項に記載の携帯情報端末装置。
【請求項９】
前記表示切替制御手段は、
前記第１表示内容のうちの一部の内容のみを前記他の少なくとも何れか１つの表示部に表示させることを特徴とする請求項８に記載の携帯情報端末装置。
【請求項１０】
前記一部の内容は、予め設定されていることを特徴とする請求項９に記載の携帯情報端末装置。
【請求項１１】
前記一部の内容は、操作により選択設定可能に構成されていることを特徴とする請求項９に記載の携帯情報端末装置。
【請求項１２】
当該携帯情報端末装置は、携帯電話機であることを特徴とする請求項１乃至１１のいずれか一項に記載の携帯情報端末装置。
【請求項１３】
当該携帯情報端末装置は折り畳み式の携帯電話機であり、
前記第１表示部は折り畳んだ時に内側となる面に、他の表示部は折り畳んだ時に外側となる面に、それぞれ配置されていることを特徴とする請求項１２に記載の携帯情報端末装置。
【請求項１４】
第１乃至第Ｎ表示部（Ｎは２以上の正の整数）を備える携帯情報端末装置において、前記第１表示部の正常時であれば該第１表示部にて表示される第１表示内容を、他の少なくとも何れか１つの表示部にて表示させるように表示切替を行う方法であって、
前記第１表示部の異常を検出する異常検出工程と、
前記異常検出工程により異常を検出した場合に、前記第１表示内容を前記他の少なくとも何れか１つの表示部にて表示させるように切替制御を行う表示切替制御工程と、
を備えることを特徴とする表示切替方法。
【請求項１５】
第１乃至第Ｎ表示部（Ｎは２以上の正の整数）を備える携帯情報端末装置において、前記第１表示部の正常時であれば該第１表示部にて表示される第１表示内容を、他の少なくとも何れか１つの表示部にて表示させるように表示切替を行う方法であって、
前記第１表示部の異常を検出する異常検出工程と、
前記表示切替のための操作を検出する表示切替操作検出工程と、
前記異常検出工程により異常を検出した異常時に前記表示切替操作検出工程にて操作を検出した場合に、前記第１表示内容を前記他の少なくとも何れか１つの表示部にて表示させるように切替制御を行う表示切替制御工程と、
を備えることを特徴とする表示切替方法。
【請求項１６】
前記異常検出工程では、表示不可能な状態を異常として検出することを特徴とする請求項１４又は１５に記載の表示切替方法。
【請求項１７】
前記異常検出工程では、ベリファイチェックにより前記第１表示部の異常検出を行うことを特徴とする請求項１４乃至１６のいずれか一項に記載の表示切替方法。
【請求項１８】
前記第１表示部は、表示動作を行う表示動作部と、該表示動作部の動作制御を行う動作制御部と、を備えて構成され、
前記異常検出工程では、前記動作制御部のメモリに設定した値の正否を判定することによりベリファイチェックを行うことを特徴とする請求項１７に記載の表示切替方法。
【請求項１９】
前記異常検出工程では、前記第１表示部の電流値を監視することにより該第１表示部の異常検出を行うことを特徴とする請求項１４乃至１６のいずれか一項に記載の表示切替方法。
【請求項２０】
第１乃至第Ｎ表示部（Ｎは２以上の正の整数）を備える携帯情報端末装置において、本来であれば前記第１表示部にて表示される第１表示内容を、他の少なくとも何れか１つの表示部にて表示させるように表示切替を行う方法であって、
前記表示切替のための操作を検出する表示切替操作検出工程と、
前記表示切替操作検出工程にて操作を検出した場合に、前記第１表示内容を前記他の少なくとも何れか１つの表示部にて表示させるように切替制御を行う表示切替制御工程と、
を備えることを特徴とする表示切替方法。
【請求項２１】
前記第１表示部は、他の表示部よりも表示領域が大きい主表示部であり、
他の表示部は副表示部であり、
前記表示切替制御工程では、
前記第１表示内容のうちの一部の内容のみを前記他の少なくとも何れか１つの表示部に表示させることを特徴とする請求項１４乃至２０のいずれか一項に記載の表示切替方法。
【請求項２２】
前記携帯情報端末装置は、携帯電話機であることを特徴とする請求項１４乃至２１のいずれか一項に記載の表示切替方法。
【発明の詳細な説明】
【技術分野】
【０００１】
本発明は、携帯電話機或いはその他の携帯情報端末装置及びその表示切替方法に関する。
【背景技術】
【０００２】
昨今、携帯電話機の機能は急速に拡張しており、単に電話をかけるための手段としてのみならず、電子メールの送受信、スケジュール管理或いはインターネット接続など多様な使われ方をしている。
【０００３】
このため、単に電話をかけるだけの手段として使用されていた頃に比べて、表示部（一般的に液晶表示部（ＬＣＤ）からなる）の役割の重要性が高まり、表示部を正面及び背面の両方に備える携帯電話機が多くなっている（例えば、特許文献１参照）。
【特許文献１】特開２００２−２０９００１号公報（図１）
【発明の開示】
【発明が解決しようとする課題】
【０００４】
ところで、上記のように正面及び背面の両方に表示部を備える携帯電話機においては、一般的には、正面側の主たる表示部の方が大きく、背面側の表示部の方が小さいような設計となっていて、その重要度も正面側の主表示部の方が高い。すなわち、一般的には、例えば、メール、スケジュール管理、インターネット接続などに関する情報表示や、電話帳機能に登録されている電話番号の表示は、正面側の主表示部で行う一方で、背面側の副表示部では、その他の簡単な内容しか表示しないようになっている。
【０００５】
このため、正面側の主表示部が何らかの要因（例えば、携帯電話機の落下）により故障し表示不可能となった場合には、メール、スケジュール管理、インターネット接続などの機能が使用できなくなるばかりか、電話帳機能に登録されている電話番号を参照することもできなくなるため、電話をかける事すら困難になり、ユーザーはとても不便さを感じる。
【０００６】
主表示部が故障した場合、例えば、携帯電話機を販売店に持ち込むなどして修理を依頼することが考えられるが、この場合、修理が完了するまでユーザーは携帯電話機を手放す事になり、メール・電話連絡或いはその他の機能が利用できなくなり不便さを感じる。しかも、故障してすぐにユーザーが販売店などに携帯電話機を修理依頼に持ち込める状況にあるとは限らない。
【０００７】
また、修理をあきらめて買い換えることも考えられるが、この場合も、買い換えた携帯電話機を使用できるようになるまでにはある程度の時間を要し、ユーザーは不便さを感じる。
【０００８】
つまり、修理する場合或いは買い換える場合の何れにしても、次に携帯電話機が使用可能となるまでの間、ユーザーは不便さを感じてしまうこととなる。
【０００９】
本発明は、上記のような問題点を解決するためになされたもので、２つ以上の表示部のうち１つの表示部に故障などの異常が生じた場合に、修理依頼或いは買い換えといった処置により携帯情報端末装置が再び使用可能となるまでの間の不便さを低減することが可能な携帯情報端末装置及びその表示切替方法を提供することを目的とする。
【課題を解決するための手段】
【００１０】
上記課題を解決するため、本発明の携帯情報端末装置は、第１乃至第Ｎ表示部（Ｎは２以上の正の整数）を備える携帯情報端末装置において、前記第１表示部の異常を検出する異常検出手段と、前記異常検出手段により異常を検出した異常時には、前記第１表示部の正常時であれば該第１表示部にて表示される第１表示内容を他の少なくとも何れか１つの表示部にて表示させるように切替制御を行う表示切替制御手段と、を備えることを特徴としている。
【００１１】
また、本発明の携帯情報端末装置は、第１乃至第Ｎ表示部（Ｎは２以上の正の整数）を備える携帯情報端末装置において、前記第１表示部の異常を検出する異常検出手段と、前記第１表示部の正常時であれば該第１表示部にて表示される第１表示内容を他の少なくとも何れか１つの表示部にて表示させるように切替操作を行うための表示切替操作手段と、前記異常検出手段により異常を検出した異常時に前記表示切替操作手段の切替操作がなされた場合に、前記第１表示内容を前記他の少なくとも何れか１つの表示部にて表示させるように切替制御を行う表示切替制御手段と、を備えることを特徴としている。
【００１２】
本発明の携帯情報端末装置においては、前記異常検出手段は、表示不可能な状態を異常として検出することが好ましい。
【００１３】
また、前記異常検出手段は、ベリファイチェックにより前記第１表示部の異常検出を行うことを好ましい一例とする。
【００１４】
この場合、具体的には、前記第１表示部は、表示動作を行う表示動作部と、該表示動作部の動作制御を行う動作制御部と、を備えて構成され、前記異常検出手段は、前記動作制御部のメモリに設定した値の正否を判定することによりベリファイチェックを行うことが挙げられる。
【００１５】
或いは、前記異常検出手段は、前記第１表示部の電流値を監視することにより該第１表示部の異常検出を行うことも好ましい。
【００１６】
また、本発明の携帯情報端末装置は、第１乃至第Ｎ表示部（Ｎは２以上の正の整数）を備える携帯情報端末装置において、本来であれば前記第１表示部に表示される第１表示内容を他の少なくとも何れか１つの表示部にて表示させるように切替操作を行うための表示切替操作手段と、前記表示切替操作手段の切替操作がなされた場合に、前記第１表示内容を前記他の少なくとも何れか１つの表示部にて表示させるように切替制御を行う表示切替制御手段と、を備えることを特徴としている。
【００１７】
本発明の携帯情報端末装置においては、前記第１表示部は、他の表示部よりも表示領域が大きい主表示部であり、他の表示部は副表示部であることを好ましい例とする。
【００１８】
この場合、前記表示切替制御手段は、前記第１表示内容のうちの一部の内容のみを前記他の少なくとも何れか１つの表示部に表示させることを好ましい一例とする。
【００１９】
更に、この場合、前記一部の内容は、予め（携帯情報端末装置の製造段階に）設定されていることを好ましい一例とする。
【００２０】
或いは、前記一部の内容は、操作により選択設定可能に構成されていることも好ましい。
【００２１】
なお、本発明の携帯情報端末装置は、携帯電話機であることを好適な一例とする。また、本発明の携帯情報端末装置は、折り畳み式の携帯電話機であり、前記第１表示部は折り畳んだ時に内側となる面に、他の表示部は折り畳んだ時に外側となる面に、それぞれ配置されていることが好ましい。
【００２２】
また、本発明の表示切替方法は、第１乃至第Ｎ表示部（Ｎは２以上の正の整数）を備える携帯情報端末装置において、前記第１表示部の正常時であれば該第１表示部にて表示される第１表示内容を、他の少なくとも何れか１つの表示部にて表示させるように表示切替を行う方法であって、前記第１表示部の異常を検出する異常検出工程と、前記異常検出工程により異常を検出した場合に、前記第１表示内容を前記他の少なくとも何れか１つの表示部にて表示させるように切替制御を行う表示切替制御工程と、を備えることを特徴としている。
【００２３】
また、本発明の表示切替方法は、第１乃至第Ｎ表示部（Ｎは２以上の正の整数）を備える携帯情報端末装置において、前記第１表示部の正常時であれば該第１表示部にて表示される第１表示内容を、他の少なくとも何れか１つの表示部にて表示させるように表示切替を行う方法であって、前記第１表示部の異常を検出する異常検出工程と、前記表示切替のための操作を検出する表示切替操作検出工程と、前記異常検出工程により異常を検出した異常時に前記表示切替操作検出工程にて操作を検出した場合に、前記第１表示内容を前記他の少なくとも何れか１つの表示部にて表示させるように切替制御を行う表示切替制御工程と、を備えることを特徴としている。
【００２４】
本発明の表示切替方法においては、前記異常検出工程では、表示不可能な状態を異常として検出することが好ましい。
【００２５】
本発明の表示切替方法においては、前記異常検出工程では、ベリファイチェックにより前記第１表示部の異常検出を行うことが好ましい。
【００２６】
この場合、前記第１表示部は、表示動作を行う表示動作部と、該表示動作部の動作制御を行う動作制御部と、を備えて構成され、前記異常検出工程では、前記動作制御部のメモリに設定した値の正否を判定することによりベリファイチェックを行うことが好ましい。
【００２７】
或いは、本発明の表示切替方法においては、前記異常検出工程では、前記第１表示部の電流値を監視することにより該第１表示部の異常検出を行うことも好ましい。
【００２８】
また、本発明の表示切替方法は、第１乃至第Ｎ表示部（Ｎは２以上の正の整数）を備える携帯情報端末装置において、本来であれば前記第１表示部にて表示される第１表示内容を、他の少なくとも何れか１つの表示部にて表示させるように表示切替を行う方法であって、前記表示切替のための操作を検出する表示切替操作検出工程と、前記表示切替操作検出工程にて操作を検出した場合に、前記第１表示内容を前記他の少なくとも何れか１つの表示部にて表示させるように切替制御を行う表示切替制御工程と、を備えることを特徴としている。
【００２９】
本発明の表示切替方法においては、前記第１表示部は、他の表示部よりも表示領域が大きい主表示部であり、他の表示部は副表示部であり、記表示切替制御工程では、前記第１表示内容のうちの一部の内容のみを前記他の少なくとも何れか１つの表示部に表示させることが好ましい。
【００３０】
また、本発明の表示切替方法において、前記携帯情報端末装置は、例えば、携帯電話機である。
【発明の効果】
【００３１】
本発明によれば、本来であれば（正常時であれば）第１表示部にて表示される第１表示内容を他の表示部にて表示させるように切替制御を行うことができる。
【００３２】
よって、第１表示部に故障などの異常が生じた場合に修理依頼或いは買い換えといった処置をとり、その処置により携帯情報端末装置が再び使用可能となるまでの間にも、ユーザーは第１表示内容を確認することができるので、その間のユーザーの不便さを低減することが可能となる。
【発明を実施するための最良の形態】
【００３３】
以下、図面を参照して、本発明に係る実施形態について説明する。
【００３４】
本実施形態では、本発明に係る携帯情報端末装置の好適な一例としての携帯電話機及びその表示切替方法について説明する。
【００３５】
〔第１の実施形態〕
先ず、携帯電話機の構成を説明する。
【００３６】
図１乃至図２に示すように、第１の実施形態に係る携帯電話機（携帯情報端末装置）１００は、ほぼ直方体形状の第１の筐体１Ａと、第１の筐体１Ａと同様の直方体形状の第２の筐体１Ｂと、第１の筐体１Ａと第２の筐体１Ｂとを相互に回動自在に結合するヒンジ機構１Ｃ（図２）と、を備え、このヒンジ機構１Ｃを軸として第１及び第２の筐体１Ａ、１Ｂを相対的に回動させることにより、該筐体１Ａ、１Ｂを互いに重ね合わせるようにして折り畳んだり、或いは、開いたりすることができる構成となっている。なお、ヒンジ機構ＩＣは、第１及び第２の筐体１Ａ、１Ｂとは別体の構成要素としても良いし、或いは、第１及び第２の筐体１Ａ、１Ｂのそれぞれの一部分を組み合わせることによりヒンジ機構１Ｃが構成されるようにしても良い。
【００３７】
このような携帯電話機１００は、通話、電子メールの送受信、インターネット接続といった通信機能の他に、例えば、スケジュール管理機能及び電卓機能といった、通信機能以外の各種アプリケーションの実行機能も備えている。
【００３８】
図３に示すように、携帯電話機１００は、通話の際に相手方に送信される音声を検出するマイク（送話部）２と、通話の際に相手方より受信される音声を発音するレシーバー（受話部）３と、音声に関する制御を行う音声制御部４と、外部（具体的には、例えば基地局）との無線通信を行う無線部５と、音声以外に関する統括的な制御を行う制御部（異常検出手段、表示切替制御手段）６と、ユーザーが各種操作を行うためのキー操作部７と、背面表示部（他の表示部、副表示部）８と、正面表示部（第１表示部、主表示部）９と、を備えている。
【００３９】
このうち無線部５は、アンテナ５ａを備え、該アンテナ５ａにより基地局からの無線信号を受信し、該受信した無線信号を復調する。このように復調された無線部５からの出力信号は、音声信号として音声制御部４に入力されるか又は制御信号として制御部６に入力される。このうち音声信号は音声制御部４にて音声処理されレシーバー３から音声として出力され、制御信号は制御部６での処理に用いられる。また、無線部５は、（マイク２からの音声入力に基づく）音声制御部４からの音声信号及び制御部６からの制御信号を変調し無線信号に変えて、該無線信号をアンテナ５ａより基地局に送信する。携帯電話機１００は、このように無線部５を介して無線通信を行うことにより、通話、電子メールの送受信及びインターネット接続といった通信機能を実行することができる。
【００４０】
制御部６は、例えば、演算部及び制御部を備えるＣＰＵと、このＣＰＵにより実行される各種のプログラムと各プログラムの実行に必要な各種のデータとを記憶したＲＯＭと、プログラムの実行の際に生成される各種のデータを一時的に記憶する記憶領域やＣＰＵの作業領域を備えるＲＡＭと、を備えて構成されている。
【００４１】
この制御部６は、無線部５の制御の他に、スケジュール管理機能及び電卓機能の制御といったように、各種アプリケーションの実行に関する制御を行う。
【００４２】
更に、制御部６は、正面表示部９及び背面表示部８の表示制御も行う。
【００４３】
ここで、正面表示部９は、表示動作を行う正面ＬＣＤ（表示動作部）９ａと、該正面ＬＣＤ９ａの表示制御を行うドライバ（動作制御部）９ｂと、を備えている。
【００４４】
同様に、背面表示部８は、表示動作を行う背面ＬＣＤ８ａと、該背面ＬＣＤ８ａの表示制御を行うドライバ８ｂと、を備えている。
【００４５】
そして、制御部６がドライバ９ｂ、８ｂの制御をそれぞれ行うことにより、ドライバ９ｂは正面ＬＣＤ９ａの動作制御を、ドライバ８ｂは背面ＬＣＤ８ａの動作制御を、それぞれ行い、背面ＬＣＤ８ａ及び正面ＬＣＤ９ａが表示動作を行う。
【００４６】
ここで、正面ＬＣＤ９ａは、例えば、携帯電話機１００を折り畳んだ際には内側に位置する面に配され、背面ＬＣＤ８ａは、折り畳んだ際にも外側に位置する面に配されている。
【００４７】
また、正面ＬＣＤ９ａは、背面ＬＣＤ８ａよりも大画面となっている。つまり、正面ＬＣＤ９は比較的表示領域が大きく、背面ＬＣＤ８は比較的表示領域が小さい。
【００４８】
そして、このうち正面ＬＣＤ９ａは、メール、スケジュール管理、インターネット接続などに関する情報表示や、電話帳機能に登録されている電話番号の表示を含む主要な各種表示機能を担う。
【００４９】
また、キー操作部７は、図２に示すように、例えば、携帯電話機１００を折り畳んだ際に内側となる面に複数備えられ、このうち一つのキーを操作するか、又は複数のキー操作を組み合わせて行うことにより、使用者は所望の機能を制御部６に実行させることができる。
【００５０】
加えて、制御部６は、ドライバ９ｂにおける故障の有無、すなわち、正面ＬＣＤ９ａにて正常に表示可能な状態であるか否かを、ベリファイチェックにより常に監視する。つまり、制御部６は、正面表示部９（のドライバ９ｂ）の異常を検出する異常検出手段として機能する。ベリファイチェックとは、一度設定した値が正しく設定されたままであるか否かを判定することをいう。
【００５１】
ベリファイチェックは、具体的には、例えば以下に説明するように行う。
【００５２】
正面ＬＣＤ９ａの表示動作は、表示内容に応じた表示制御信号が制御部６からドライバ９ｂに送信され、この表示制御信号が一旦ドライバ９ｂのメモリに記憶され、その後、該メモリに記憶された表示制御信号がドライバ９ｂから正面ＬＣＤ９ａへ転送されることによりなされる。
【００５３】
そこで、本実施形態の場合、例えば、ドライバ９ｂのメモリに一旦記憶される表示制御信号（つまり動作制御部のメモリに設定した値）を制御部６に送り返して該制御部６にてその表示制御信号の正否を判定することにより、上記のベリファイチェックを行う。
【００５４】
このようなベリファイチェックを行うことにより、ドライバ９ｂの故障、すなわち正面ＬＣＤ９ａに正しく表示できない異常状態を検出することができる。
【００５５】
なお、全ての表示制御信号についてベリファイチェックを行うこととしても良いが、その場合、ベリファイチェックのための処理量が増大してしまう。このため、ベリファイチェックは、特定の表示制御信号のみをサンプリングして行うことが好ましく、このように特定の表示制御信号に対してのみベリファイチェックを行うことにより、処理量を低減することができる。
【００５６】
また、このようなベリファイチェックを行うために、制御部６では、ベリファイチェックが終了するまでの間は、該ベリファイチェックに供される表示制御信号を記憶保持しておく。
【００５７】
また、ベリファイチェックの結果、ベリファイエラーとなった場合、すなわち、制御部６側で記憶保持していた値（表示制御信号）と、ドライバ９ｂから送り返された値（表示制御信号）とが一致しなかった場合には、制御部６は、正面ＬＣＤ９ａが故障している（正常に表示できない）と判断する。
【００５８】
このように判断した場合、制御部６は、本来であれば（正常時であれば）正面ＬＣＤ９ａにて表示される表示内容（第１表示内容）を背面ＬＣＤ８ａにて代替的に表示させるように表示切替制御を行う。つまり、制御部６は、表示切替制御手段として機能する。
【００５９】
ここで、背面ＬＣＤ８ａにて代替的に表示させる表示内容は、本来であれば（正常時であれば）正面ＬＣＤ９ａにて表示される表示内容の全てであっても良いし、一部であっても良い。
【００６０】
本実施形態の場合、正面ＬＣＤ９ａに比べて背面ＬＣＤ８ａの表示画面が狭い事を考慮し、一部の表示内容のみを背面ＬＣＤ８ａにて代替的に表示させるものとする。該一部の表示内容としては、具体的には、例えば、メール機能、電話帳機能、外部メモリへのバックアップ手順表示といった、最低限、緊急時にユーザーが困らない程度の表示内容であることが挙げられる。つまり、優先度の高い情報のみを代替的に表示する。
【００６１】
また、上記した一部の表示内容は、当該携帯電話機１００の製造段階でのプログラムにより予め設定され、従って固定的となっていても良いし、或いは、ユーザーが操作により所望の表示内容を選択設定可能となっていても良い。
【００６２】
また、上記した一部の表示内容をユーザーが選択設定可能である場合、ユーザーは、例えば、正面ＬＣＤ９ａが正常時にその選択設定を行うと良い。或いは、故障後に背面ＬＣＤ８ａにて選択設定画面を表示し、その表示に従って所望の表示内容を選択設定可能な構成としても良い。
【００６３】
なお、背面ＬＣＤ８ａのドライバ８ｂは、背面ＬＣＤ８ａの表示制御に関して正面ＬＣＤ９ａのドライバ９ｂと同様に動作するが、背面ＬＣＤ８ａのドライバ８ｂに対してはベリファイチェックを行う必要がないため、該ドライバ８ｂは表示制御信号を制御部６に送り返す必要がない。
【００６４】
次に、図４のフローチャートを参照して動作を説明する。
【００６５】
携帯電話機１００に電源が入ると図４のフローがスタートし、そのステップＳ１では、先ず、正面ＬＣＤ９ａのドライバ９ｂに対するベリファイチェックを行い、その結果がＯＫ（正常に表示されている）であるか否かを判定する（異常検出工程）。
【００６６】
ベリファイチェックの結果がＯＫである場合には（ステップＳ１のＹＥＳ）、本来正面ＬＣＤ９ａに表示すべき表示内容をそのまま該正面ＬＣＤ９ａに表示させる（ステップＳ２）。
【００６７】
他方、ベリファイチェックの結果がＯＫでない場合（ベリファイエラーの場合）には（ステップＳ１のＮＯ）、本来ならば正面ＬＣＤ９ａに表示すべき表示内容（第１表示内容）を背面ＬＣＤ８ａにて表示させるよう表示切替制御を行う（ステップＳ３；表示切替制御工程）。
【００６８】
以上のような第１の実施形態によれば、制御部６は、正面表示部９（のドライバ９ｂ）の故障を検出した場合に、正常時であれば正面表示部９（の正面ＬＣＤ９ａ）にて表示される第１表示内容を背面表示部８（の背面ＬＣＤ８ａ）にて代替的に表示させるように表示切替制御を行うので、正面表示部９（のドライバ９ｂ）が故障していても第１表示内容を背面表示部８（の背面ＬＣＤ８ａ）にて確認することができる。
【００６９】
よって、正面表示部９（のドライバ９ｂ）が故障したために修理依頼或いは買い換えといった処置をとり、この処置により携帯電話機１００が再び使用可能となるまでの間にも、ユーザーは第１表示内容を確認できる。よって、その間のユーザーの不便さを低減することができる。
【００７０】
〔第２の実施形態〕
次に、本発明に係る第２の実施形態について、図５乃至図７を参照して説明する。
【００７１】
上記の第１の実施形態では、正面ＬＣＤ９ａに正しく表示されているかどうかを、ベリファイチェックにより判定する例を説明した。しかし、ベリファイチェックを行う場合は、その性質上、処理速度の若干の低下が懸念される。
【００７２】
そこで、第２の実施形態では、ベリファイチェックの代わりに、ドライバ９ｂに流れる電流値の監視により該ドライバ９ｂの故障検出を行い、これにより処理速度低下を抑制する例について説明する。
【００７３】
図５に示すように、第２の実施形態に係る携帯電話機２００の構成は、上記の第１の実施形態に係る携帯電話機１００と比べて、電圧を電流に変換するための１Ω抵抗１０と、この抵抗１０により電圧に変換された値をＡ／Ｄ変換するＡ／Ｄ変換器１１と、を更に備える点でのみ異なり、その他の点では同様である。このため、第２の実施形態に係る携帯電話機２００（図５）の各構成要素のうち、携帯電話機１００におけるのと同様の構成要素には同一の符号を付し、その説明を省略する。
【００７４】
Ａ／Ｄ変換器１１は、制御部６の制御により、一定間隔（図７のＡ／Ｄ変換間隔Ｔａｄ）で、抵抗１０が電圧変換した値のＡ／Ｄ変換を行う。Ａ／Ｄ変換器１１による変換後の値、すなわちドライバ９ｂを流れる電流値は、制御部６に入力される。
【００７５】
また、制御部６は、Ａ／Ｄ変換器１１から入力される値を、規定の上限値（図７の規定値ＭＡＸ）及び下限値（図７の規定値ＭＩＮ）と比較し、該入力される値がこれら規定値の範囲内であるか否かを判定する。
【００７６】
その結果、規定を越えるか又は下回る電流が流れていると判定した場合には、制御部６は、ドライバ９ｂが故障している（正面ＬＣＤ９ａに正常に表示できない）と判断し、第１表示内容を背面ＬＣＤ８にて代替的に表示させる制御を行う。
【００７７】
次に、図６のフローチャートを参照して動作を説明する。
【００７８】
携帯電話機２００に電源が入ると図６のフローがスタートし、そのステップＳ１１では、先ず、ドライバ９ｂに流れる電流値が規定範囲内であるか否かを判定する（異常検出工程）。
【００７９】
その結果、規定範囲内であると判定した場合には（ステップＳ１１のＹＥＳ）、第１表示内容を正面ＬＣＤ９ａに表示させ（ステップＳ１２）、規定範囲外であると判定した場合には（ステップＳ１１のＮＯ）、第１表示内容を背面ＬＣＤ８ａに表示させる（ステップＳ１３；表示切替制御工程）。
【００８０】
次に、図７を参照して、ドライバ９ｂに流れる電流値を検出し制御部６に伝えるためのＡ／Ｄ変換動作について説明する。
【００８１】
制御部６は、ある一定間隔Ｔａｄ（図７）でＡ／Ｄ変換器１１に対してＡ／Ｄ変換要求信号を出力する。このＡ／Ｄ変換要求信号を受けたＡ／Ｄ変換器１１は、ドライバ９ｂに流れる電流値（１Ω抵抗１０の出力値）をＡ／Ｄ変換して制御部６に出力する。
【００８２】
図７に矢印Ａで示すように、Ａ／Ｄ変換器１１から制御部６に入力される電流値が規定値ＭＡＸを越えると、該制御部６はドライバ９ｂが故障し正面ＬＣＤ９ａに正しく表示できない状態であると判定し、第１表示内容を背面ＬＣＤ８ａにて代替的に表示させるように表示切替制御を行う。
【００８３】
以上のような第２の実施形態によれば、正面表示部９（のドライバ９ｂ）の故障検出を、ドライバ９ｂに流れる電流値の監視により行うので、故障検出のための処理速度低下をより確実に抑制することができる。
【００８４】
〔第３の実施形態〕
次に、本発明に係る第３の実施形態について説明する。
【００８５】
なお、第３の実施形態に係る携帯電話機は、上記の第１の実施形態に係る携帯電話機１００と同様の構成であるため、図示及び説明を省略する。
【００８６】
第３の実施形態に係る携帯電話機は、ユーザーの操作により第１表示内容を背面ＬＣＤ８ｂに表示させるための表示切替操作キー（表示切替操作手段）を備える。つまり、ユーザーは、この表示切替操作キーを、正面表示部９（の正面ＬＣＤ９ａ或いはドライバ９ｂ）が故障し、正面表示部９（の正面ＬＣＤ９ａ）にて正しく表示できない場合に操作することにより、第１表示内容を背面ＬＣＤ８ａにて確認することができる。
【００８７】
なお、表示切替操作キーは、例えば、キー操作部７の何れかの操作キーである。
【００８８】
ここで、ユーザーによる表示切替操作は、正面ＬＣＤ９ａが壊れた状態で容易に実行可能である必要があるため、例えば、単一のキーの長押しで行うという具合に、比較的簡単なキー操作（単一の操作）で実行できるように構成することが好ましいが、或いは、意図せずに表示切替操作がなされてしまうという状況が多発してしまうのを防止するために、複数のキー操作を組み合わせて実行するようにしても良い。
【００８９】
なお、第３の実施形態に係る携帯電話機は、第１の実施形態で説明したベリファイチェックを行う必要はない。
【００９０】
次に、図８のフローチャートを参照して動作を説明する。
【００９１】
携帯電話機に電源が入ると図８のフローがスタートし、そのステップＳ２１では、先ず、制御部６は、ユーザーによる表示切替操作が行われたか否かを判定する（表示切替操作検出工程）。
【００９２】
その結果、表示切替操作が行われたと判定した場合には（ステップＳ２１のＹＥＳ）、制御部６は、第１表示内容を背面ＬＣＤ８ａに表示させる（ステップＳ２３；表示切替制御工程）。
【００９３】
他方、表示切替操作が行われていないと判定した場合には（ステップＳ２１のＮＯ）、制御部６は、第１表示内容を通常通り正面ＬＣＤ９ａに表示させる（ステップＳ２２）。
【００９４】
以上のような第３の実施形態によれば、本来であれば正面ＬＣＤ９ａに表示される第１表示内容を背面ＬＣＤ８ａに表示させるように切替操作を行うための表示切替操作キーを備えるので、正面表示部９（の正面ＬＣＤ９ａ或いはドライバ９ｂ）が故障した場合にユーザーが表示切替操作キーを操作することにより、第１表示内容を背面ＬＣＤ８ａにて確認することができる。
【００９５】
なお、上記の各実施形態では、本発明に係る携帯情報端末装置の一例として、携帯電話機についてのみ説明したが、本発明はこれに限らず、例えば、ＰＨＳ或いはその他の携帯情報端末装置にも同様に適用可能である。
【００９６】
また、上記の各実施形態では、表示部が正面表示部９及び背面表示部８の２つのみである例を説明したが、表示部は３つ以上であっても良く、そのうち何れかの表示部が故障した場合に、他の何れか１つ又は２つ以上の表示部にて代替的に表示させるようにしても良い。
【００９７】
また、上記の第３の実施形態では、正面表示部９の異常検出を行わずに、ユーザーが必要に応じて行う表示切替操作に基づき表示切替制御がなされる例を説明したが、正面表示部９の異常を検出し、且つ、表示切替操作がなされた場合にのみ表示切替制御を行うようにしても良い。
【図面の簡単な説明】
【００９８】
【図１】第１の実施形態に係る携帯電話機の背面ＬＣＤが配された側を示す全体図である。
【図２】図１の携帯電話機の正面ＬＣＤが配された側を示す全体図である。
【図３】図１の携帯電話機の主要な構成を示すブロック図である。
【図４】図１の携帯電話機の動作を説明するためのフローチャートである。
【図５】第２の実施形態に係る携帯電話機の主要な構成を示すブロック図である。
【図６】図５の携帯電話機の動作を説明するためのフローチャートである。
【図７】図５の携帯電話機における正面ＬＣＤの異常検出を説明するための図である。
【図８】第３の実施形態に係る携帯電話機の動作を説明するためのフローチャートである。
【符号の説明】
【００９９】
１００  携帯電話機（携帯情報端末装置）
６      制御部（異常検出手段、表示切替制御手段）
９      正面表示部（第１表示部、主表示部）
９ａ    正面ＬＣＤ（第１表示部、主表示部、表示動作部）
９ｂ    ドライバ（第１表示部、主表示部、動作制御部）
８      背面表示部（他の表示部、副表示部）
８ａ    背面ＬＣＤ（他の表示部、副表示部）
８ｂ    ドライバ（他の表示部、副表示部）
２００  携帯電話機（携帯情報端末装置）
１０    抵抗（異常検出手段）
１１    Ａ／Ｄ変換器（異常検出手段）
７      キー操作部（その一部が表示切替操作手段を構成する）
【図１】
2005136706.tif 000003
【図２】
2005136706.tif 000004
【図３】
2005136706.tif 000005
【図４】
2005136706.tif 000006
【図５】
2005136706.tif 000007
【図６】
2005136706.tif 000008
【図７】
2005136706.tif 000009
【図８】
2005136706.tif 000010